(57)【要約】      （修正有）【課題】照度の測定において、作業ミスがなく、かつ作業時間が短く、効率よく、確実に照度測定を行うことができる照度測定装置および方法、プログラムを提供する。【解決手段】照度計１と相互に通信を行う携帯端末２とを備え、照度計に測定した照度測定値を携帯端末に送信する通信部１４を備え、携帯端末は、照度計からの照度測定値を受信する通信部２４、照度測定値を保存する記憶部２１、受信し保存した照度測定値を表示する表示部２３、照度測定値の保存を指示する操作部２２、これらの通信部、記憶部、表示部を制御する制御部２５を備える。照度計で測定した照度測定値は、携帯端末に送信され、携帯端末の記憶部に保存される。【選択図】図１
2019015640.tif 000002
【特許請求の範囲】
【請求項１】
相互に通信を行うことが可能な照度計と携帯端末とを備え、
前記照度計は、
照度を測定する測定部と、
前記測定部で測定した照度測定値を前記携帯端末に送信する照度計側通信部と
を備え、
前記携帯端末は、
前記照度計から送信された照度測定値を受信する携帯端末側通信部と、
表示部と、
記憶部と、
操作部と、
これら前記携帯端末側通信部、前記表示部、前記記憶部を制御する制御部と
を有し、
前記記憶部には、照度測定をすべき測定ポイントを含んだ図面データが記憶され、
前記制御部は、前記操作部の操作により、前記表示部に照度を測定すべき場所である測定ポイントが表された図面データを表示させ、
測定ポイントごとに測定されて前記照度計から送信された照度測定値を表示し、前記操作部から保存が指示された照度測定値を前記記憶部に記憶させる
ことを特徴とする照度測定装置。
【請求項２】
請求項１記載の照度測定装置において、
前記記憶部には、測定ポイントと保存された照度測定値とが対応付けられて記憶され、
前記制御部は、測定ポイントで照度測定がされていない測定ポイントがあった場合に照度測定されていない旨を前記表示部に表示させる
ことを特徴とする照度測定装置。
【請求項３】
互いに通信を行うことが可能な照度計と携帯端末を用いた照度測定方法であって、
照度測定をすべき測定ポイントを含んだ図面データを前記携帯端末の記憶部に記憶させ、
作業者が、前記携帯端末の表示部に前記図面データの測定ポイントを表示させて、当該測定ポイントに前記照度計を位置させて照度を測定し、
前記照度計が、測定した測定ポイントの照度測定値を前記携帯端末に送信し、
前記携帯端末が、受信した照度測定値を表示部に表示し、
前記携帯端末が、作業者が操作部を操作して表示された照度測定値の保存を指示すると、当該照度測定値を前記記憶部に測定した測定ポイントに対応して照度データを記憶し、
必要な回数、照度測定と照度データの保存とを繰り返す
ことを特徴とする照度測定方法。
【請求項４】
請求項３に記載の照度測定方法において、
前記記憶部には、測定ポイントと保存された照度測定値とが対応付けられて記憶されており、
前記制御部が、照度測定がされていない測定ポイントがあった場合に照度測定されていない旨を作業者に報知する
ことを特徴とする照度測定方法。
【請求項５】
相互に通信を行うことが可能な照度計と携帯端末とを備え、
前記照度計は、照度を測定する測定部と、前記測定部で測定した照度測定値を前記携帯端末に送信する照度計側通信部とを備え、
前記携帯端末は、前記照度計から送信された照度測定値を受信する携帯端末側通信部と、表示部と、記憶部と、操作部と、これら前記携帯端末側通信部、前記表示部、前記記憶部を制御する制御部とを有する照度測定装置の前記携帯端末の前記制御部のコンピュータに、
前記記憶部に、操作部の操作により、照度測定をすべき測定ポイントを含んだ図面データを記憶させるステップと、
前記操作部の操作により、前記表示部に照度を測定すべき場所である測定ポイントが表された図面データを表示させるステップと、
測定ポイントごとに測定されて前記照度計から送信された照度データを表示させ、前記操作部から保存が指示された照度データを前記記憶部に記憶させるステップと
を実行させる照度測定プログラム。
【発明の詳細な説明】
【技術分野】
【０００１】
本発明は、照度測定装置および照度測定方法、ならびにプログラムに関する。
【背景技術】
【０００２】
照度の測定は、例えば、室内照明の明るさや照明機器の照度を測定して、建物竣工時に竣工図面に測定した照度値を記入した報告書を作成するときに行う。
【０００３】
このような照度測定作業は、竣工引き渡しの直前で、しかも基本的に外光の影響がない夜間に測定する必要がある。さらに、建物により、多数の測定箇所で測定する必要があり、商業施設や工場等の大きな建物では、何千、何万という測定箇所の照度を測定する必要が出てくる。
このような照度を測定する照度計については、以下の先行技術文献がある。
【０００４】
以下従来の照度計による照度の測定を説明する。
先行特許文献に記載の照度計は、受光センサなどを備える受光部と、各種キーなどを備える操作部と、液晶画面などを備える表示部と、演算制御装置（ＣＰＵ）などを備え、これらの受光部、操作部、表示部を制御して受光部が置かれた場所の照度を測定して表示、保存する制御部を備えている。測定された照度のデータは、記憶部に保存される。操作部には、液晶画面における照度の表示値をホールドするためのホールドキーが設けられており、このホールドキーが押されることにより、ホールドキーが押された時点の測定値が保持され、液晶画面に照度が数字などで保持される。
【０００５】
照度には、建物の使用目的によって、オフィスのようなところでは、机上の高さで、何ルックス以上、体育館のようなところでは、床上で何ルックス以上という規格があり、床面や、床上８０ｃｍのところで測定する規定がある。照度の測定は、測定ポイントの所定の高さに照度計をおき、表示画面にホールドされた照度のデータを測定作業者が読み取って記録して行う。
【０００６】
以下、従来の照度計を用いて行う照度測定の手順を説明する。
まず、竣工図面など、照度を測定すべき建造物内の図面であって、測定すべき測定ポイント（測定場所）が記載された図面を準備する。この図面には、測定ポイントが表されており、その測定ポイントごとに順次照度測定を行う。
【０００７】
照度測定の作業は、通常、二人の作業者が共同で行う。照度計をもつ作業者と照度測定値を記録する作業者である。床面の照度を測定する場合には、一人の作業者が床面に照度計をおき、そこに表示された測定値を読み取って、図面を持つもう一人の作業者に伝える作業を行う。照度を測定する場合に、照度計に作業員の影が入ると正確な測定値を得ることができないため、照度を測定するときには、測定値を読み取る作業者が照度計から一旦離れる必要がある。照度計にはホールド機能があるので、ホールド機能を利用して、測定されたホールドされた照度の測定値を一人の作業者が読み取ってもう一人の測定値の記録を行う作業者に伝える。もう一人の作業者は図面にある測定ポイントに他の作業者から聞いた測定値を書き入れる。一つの測定ポイントの照度を測定すると次の測定ポイントへ移動し、照度計をおいて測定値を読み取り、その測定値を図面に記録するという作業を繰り返す。
【０００８】
すべての測定ポイントについて測定を終了すると、事務所に戻り、図面に書き入れた測定値を竣工図面が入っているパソコンで竣工進行図面の測定ポイントに書き入れる入力作業をし、照度測定の報告書を作成する。
【先行技術文献】
【特許文献】
【０００９】
【特許文献１】特開２０１５−０４９０５１号公報
【発明の概要】
【発明が解決しようとする課題】
【００１０】
以上のように、従来の照度の測定は、二人の作業員が単体の照度計を用いて多数の測定ポイントについて照度の測定を行うので、以下の問題が発生する虞がある。
【００１１】
まず、多数の測定ポイントについて照度を測定するため、測定忘れが発生する。人が照度計に表示された測定値を読み取るので、読み間違いが生ずる。照度計の測定値を読み取る者とは別の作業者がもっている図面等に記録するので、伝え間違いが生ずる。さらに、作業者は図面に手書きで伝えられた測定値を書き込むので、書き間違いが生ずる。パソコンに図面に記録された照度の測定値を入力するときに、他人の書いた数値を読むことで、読み間違いが生ずる。また、パソコンへの入力ミスが生ずる。
【００１２】
これらのヒューマンエラーが発生すると、照度の数値に信頼性が欠けることになり、測定作業のやり直しにつながる。また、照度の測定は、竣工から引き渡しまでの短期間でしかも夜間に行う必要があるため、上述のヒューマンエラーが発生しやすく、工事関係者にとって、照度測定の負荷は大きいものがあった。
このように、照度の測定においては、作業ミスがなく、かつ作業時間が短く、効率よく、確実に照度測定を行う照度測定装置、方法が求められていた。
【００１３】
本発明は、このような照度の測定において、作業ミスがなく、かつ作業時間が短く、効率よく、確実に照度測定を行うことができる照度測定装置および方法、プログラムを提供することを目的とする。
【課題を解決するための手段】
【００１４】
上記課題を解決するために、本発明の第１の側面の照度測定装置は、相互に通信を行うことが可能な照度計と携帯端末とを備え、照度計は、照度を測定する測定部と、測定部で測定した照度測定値を携帯端末に送信する照度計側通信部とを備え、携帯端末は、照度計から送信された照度測定値を受信する携帯端末側通信部と、表示部と、記憶部と、操作部と、これら携帯端末側通信部、表示部、記憶部を制御する制御部とを有し、記憶部には、照度測定をすべき測定ポイントを含んだ図面データが記憶され、制御部は、操作部の操作により、表示部に照度を測定すべき場所である測定ポイントが表された図面データを表示させ、測定ポイントごとに測定されて照度計から送信された照度測定値を表示し、操作部から保存が指示された照度測定値を記憶部に記憶させることを特徴とする。
【００１５】
なお、記憶部には、測定ポイントと保存された照度測定値とが対応付けられて記憶され、制御部は、測定ポイントで照度測定がされていない測定ポイントがあった場合に照度測定されていない旨を作業者に報知することが好ましい。
【００１６】
また、本発明の他の側面は、相互に通信を行うことが可能な照度計と携帯端末を用いた照度測定方法であって、照度測定をすべき測定ポイントを含んだ図面データを携帯端末の記憶部に記憶させ、作業者が、携帯端末の表示部に図面データの測定ポイントを表示させて、当該測定ポイントに照度計を位置させて照度を測定し、照度計が、測定した測定ポイントの照度測定値を携帯端末に送信し、携帯端末が、受信した照度測定値を表示部に表示し、携帯端末が、作業者が操作部を操作して表示された照度測定値の保存を指示すると、当該照度測定値を記憶部に測定した測定ポイントに対応して照度データを記憶し、必要な回数、照度測定と照度データの保存とを繰り返すことを特徴とする。
【００１７】
なお、携帯端末の記憶部には、測定ポイントと保存された照度測定値とが対応付けられて記憶されており、携帯端末の制御部が、照度測定がされていない測定ポイントがあった場合に照度測定されていない旨を作業者に報知することが好ましい。
【００１８】
また、本発明の他の側面は、相互に通信を行うことが可能な照度計と携帯端末とを備え、照度計は、照度を測定する測定部と、測定部で測定した照度測定値を携帯端末に送信する照度計側通信部とを備え、携帯端末は、前記照度計から送信された照度測定値を受信する携帯端末側通信部と、表示部と、記憶部と、操作部と、これら携帯端末側通信部、表示部、記憶部を制御する制御部とを有する携帯端末の制御部のコンピュータに、記憶部に、操作部の操作により、照度測定をすべき測定ポイントを含んだ図面データを記憶させるステップと、操作部の操作により、表示部に照度を測定すべき場所である測定ポイントが表された図面データを表示させるステップと、ポイントごとに測定されて前記照度計から送信された照度データを表示させ操作部から保存が指示された照度データを記憶部に記憶させるステップとを実行させることを特徴とする。
【発明の効果】
【００１９】
照度測定においてヒューマンエラーの発生が少なくなる。また、測定作業のやり直しが発生しない。測定ポイントと照度測定値とが関連づけられて記憶されるので、測定作業時間が短縮され、また、効率よく測定ができる。また、一人でも照度の測定が可能なので、照度測定における負荷が軽減され、照度測定作業費用も安価にできる。
【図面の簡単な説明】
【００２０】
【図１】照度測定装置の構成を示す図であり、照度計１とスマートフォン２とからなる構成を示している。
【図２】スマートフォンに表示される画像ファイル読み込みの指示を示す図である。
【図３】スマートフォンに表示される竣工図面を示す図である。
【図４】照度計から送信された照度測定値がスマートフォンの画面に表示された例を示す図である。
【図５】照度測定値と測定ポイントとが対応づけられて表示された例を示す図である。
【図６】照度計とスマートフォンとの間の動作シーケンスを示す図である。
【図７】照度の測定作業の手順を示すフローチャートである。
【発明を実施するための形態】
【００２１】
以下図面を参照して本発明の実施の形態を説明する。図１は、本発明の一実施の形態に係る照度測定装置の構成を示す図である。本実施の形態の照度測定装置は、照度計１と、携帯端末としてのスマートフォン２とから構成されている。スマートフォンは、広義では携帯情報端末の機能を有する携帯電話端末を意味しているが、本明細書では、広義のスマートフォンのうち、各種プログラムをインストールすることによって、任意の機能を付加したり、端末の操作環境や表示環境をカスタマイズすることできるものをいうものとする。
なお、本実施形態の照度測定装置では、スマートフォン２に代えて、タブレット端末や携帯型パーソナルコンピュータなどの汎用の電子機器を用いることが可能である。
【００２２】
照度計１は、受光部１１、操作部１２、表示部１３、無線通信部１４、制御部１５、記憶部１６を備えている。受光部１１は、フォトダイオードなどの受光センサが外部からの照明光の受光する部分である。この受光部１１には、図示されない増幅器、ＡＤ変換器などを備えており、照度計本体と取り外してケーブルで延長し、照度計本体と接続することもできる。
【００２３】
操作部１２には、押下することで操作するメカニカルキーが設けられており、測定レンジを指定するレンジキー、測定値のホールドを指示するホールドキー、ゼロ調整キー等が照度計１の表面に並べて設けられている。
【００２４】
表示部１３には、液晶画面が設けられており、測定された照度の値の他、選択されたレンジや、照度のホールド状態の有無などが表示される。
【００２５】
無線通信部１４は、照度計側通信部に対応し、ブルートゥース（ Bluetooth 登録商標）規格に準じた近距離無線通信を実行可能に構成されており、この無線通信部１４は、後述するスマートフォン２の無線通信部との間で無線接続を確立し、スマートフォン２との間で各種データの送受信処理を行うことができる。
【００２６】
制御部１５は、照度計１を総括的に制御するものであり、演算処理装置であるＣＰＵを有しており、プログラムの命令にしたがって照度計１全体に対する制御を実行し、受光部１１から到来するデータから、照度データを演算し、また、記憶部１６にそれらの照度データを記憶させる。また、無線通信部１４を介してスマートフォン２と相互に通信を行って、測定した照度測定値をスマートフォン２に送信することができる。
【００２７】
記憶部１６は、制御部１５が演算した照度測定値を一時的に記憶し、また、複数箇所の測定ポイントの照度の測定値を記憶することもできる。
【００２８】
一方、スマートフォン２は、記憶部２１、操作部２２、表示部２３、無線通信部２４、制御部２５を備える。記憶部２１は、スマートフォン２の動作プログラムを記憶するとともに、照度測定作業用のプログラムを記憶し、また、照度測定を行う竣工図面などの画像ファイル、測定した照度測定値などを記憶できる。
【００２９】
操作部２２は、操作スイッチと、表示部２３の表面側に配設されたタッチパネルとを備え、このタッチパネルの操作に応じた操作信号を制御部２５に与える。表示部２３は、制御部２５の制御にしたがって、測定ポイントが含まれる竣工図面、照度計１から送信された照度の測定値、記憶部２１に記憶した照度測定値などの各種の表示を行う。また、表示部２３には、タッチすることで操作を指示するボタン画面（アイコン）も表示される。
【００３０】
無線通信部２４は、携帯端末側通信部に相当し、照度計１の無線通信部１４とブルートゥース規格に準じた近距離無線通信が実行可能であり、照度計１からの照度データを受信し、また、照度計１に各種コマンド信号を送信する。
【００３１】
制御部２５は、スマートフォン２を総括的に制御する。この制御部２５は、記憶部２１に記憶されたスマートフォン２の動作プログラムにしたがって動作し、記憶部２１に記憶している竣工図面の画像ファイルを表示部２３に表示させる。また、無線通信部２４で受信した照度計１からの照度測定値を表示部２３に表示させ、保存が指示された照度測定値を記憶部２１に記憶させる制御などを行う。
【００３２】
以下、本実施の形態の照度計１とスマートフォン２とを用いた照度の測定の手順を説明する。
（照度測定作業前の準備）
まず、照度計による照度測定作業前の準備について説明する。
照度測定作業準備としては、スマートフォン２に竣工図面を取り入れ、そのスマートフォン２に取り込んだ竣工図面の測定ポイントごとに番号をふって、照度測定の順序を決める作業を行う。
スマートフォン２に竣工図面を取り入れる作業は、スマートフォン２の画面に照度測定をすべき測定ポイントをスマートフォン２の画面に表示して実際の測定作業を行う支援するための作業である。
【００３３】
図２に示すように、スマートフォン２の表示部２３には、画像ファイルの取り込み指示の画像が表示される。画像ファイルの読み込みは、竣工図面が記憶されたパソコンから読み込む、あるいは竣工図面をスマートフォン２のカメラで取り込むことが可能である。
取り込んだ竣工図面例を表示したものが図３である。この竣工図面は、教室の例を示している。竣工図面には、照度を測定すべき箇所である測定ポイントが青色などの点で表されている。この測定ポイントに番号をふることで、測定すべき場所、測定する順番をスマートフォンの画面で確認する。番号は、スマートフォン２のタッチパネルで、青色の測定ポイントを長押しすることで、番号が測定ポイントごとに順次付されていき、すべての測定ポイントに番号が付されると、番号付与の作業は終了する。
【００３４】
（照度測定作業）
照度測定作業は、順次、測定ポイントごとに、照度計をおいて照度を測定し、この測定した照度データをスマートフォン２に送信して、スマートフォン２で保存し、測定すべき測定ポイントについてすべて測定を行うと測定作業が終了するという手順になる。
【００３５】
照度測定作業について説明する。この説明は、照度計１を測定ポイントにおく作業とスマートフォン２をもって、測定した照度測定値を保存する作業とは別の作業者が行うことで説明する。しかし、照度計とスマートフォンとが適度に離れており、照度計での照度の測定に作業者の影等が影響しない状況であれば一人の作業者が照度の測定を行うことも可能である。
【００３６】
一人の作業者が、測定ポイントの床面あるいは規定の高さに照度計をおく。この規定の高さは、照度を測定すべき建物等の環境によって異なる。建物によってＪＩＳなどの規格で高さ、必要な照度が規定されているので、その規定に基づいた高さで照度を測定する。照度計から少し距離をおいて、スマートフォン２を持つ他の作業者がいて、スマートフォン２を操作する。スマートフォン２に表示された測定のボタンを押下すると、照度計１に対して、照度データの送信要求のコマンド信号が送信され、照度計１は、測定している照度測定値を送信する。照度計１は、測定した照度測定値を、１ｓｅｃごとに無線通信部１４から無線で送信し、スマートフォン２は受信した照度測定値を表示部２３に表示する。この状態を図４に示す。この図４では、２番目の測定ポイントについて照度測定値が「４５３．５」ルクスである旨が表示されている。照度データは照度計が測定する周期の１ｓｅｃごとに送信されているので、表示されている照度測定値は、例えば、コンマ以下は変動している。
【００３７】
スマートフォン２の表示部２３に照度測定値とともに、測定値を保存するかの操作ボタンが表示されるので、表示された照度測定値について、保存のボタンを押下することで、表示された２番目の測定ポイントの照度測定値「４５３．５ｌｘ」の値が保存される。
図５は、１〜５までの測定ポイントについて照度の測定がおわり、１〜４の測定ポイントについて図面に照度測定値が表示され、５の測定ポイントの照度が「５１２．３」ルクスであることが表されている。
図６は、照度計１とスマートフォン２との間の通信のシーケンスを示すもので、スマートフォン２からのコマンドと照度計１からの照度測定における測定値の送受信と保存の送信シーケンスの例を示している。スマートフォンから、照度測定値の送信コマンド信号が送信され、照度計１の測定が開始されると、照度測定値は１秒間隔でスマートフォン２に送信されて表示され、保存確定により、照度測定値は、記憶されるとともに、照度計に送信停止のコマンド信号が送信されて、照度計での当該測定ポイントでの照度測定は終了する。
【００３８】
このように、測定ポイントごとに、順次、照度の測定と照度データのスマートフォンへの保存作業を実行し、すべての測定ポイントについて、測定が終了すると測定作業は、終了する。
【００３９】
図５のように、スマートフォン２では、番号が付された測定ポイントごとに、照度測定値を対応づけて保存しているので、設定されている測定ポイントについて照度測定値が保存されたかをチェックできる。照度測定値が保存されていない測定ポイントがあった場合に、表示部２３の画面上に警告を出すことができる。例えば、照度測定値が保存されていない測定ポイントの番号を赤で表示して、照度測定値の保存を指示する。作業者は、測定を忘れていれば、警告のあった測定ポイントで照度の測定を行い、測定された照度測定値を保存し、測定し忘れを防止することができる。
【００４０】
（照度測定後の作業）
すべての測定ポイントについて照度測定が終了すると、スマートフォン２の外部インタフェースを事務所のパソコンに接続して、記憶している照度測定値をパソコンに取り入れる。取り入れた照度測定値は、竣工図面上に書き込み、照度測定の報告書を作成する。
なお、パソコン上でも測定し忘れて測定した照度のデータがない場合には、警告を出すことができる。
【００４１】
図７は、測定の作業の流れをフローチャートに示したものであり、測定の準備段階から測定後の作業全体のフローを示している。まず、測定ポイントが記載されている竣工図面の画像ファイルを取り込み（Ｓ１）、測定ポイントに番号をするなどして、測定ポイントを確認する（Ｓ２）。各測定ポイントについて照度測定を行い（Ｓ３）、測定の漏れを検証し、漏れがあれば、漏れ表示をして作業者に報知して測定補充を行う（Ｓ４〜Ｓ７）。すべての測定が終了すると、測定した照度測定値のデータをパソコンに取り込んで、報告書の作成作業を行う（Ｓ８〜Ｓ１０）。
【００４２】
（発明の効果）
上述のように、照度計で測定した測定値は、スマートフォン２に無線で送信されてスマートフォン２に記憶されるので、書き間違い、読み間違い等のヒューマンエラーの発生はない。また、測定し忘れの警告を行うことができるので、測定作業のやり直しが発生することがない。さらに、照度測定に測定ポイントと測定値と対応つけてスマートフォン２にデータとして記録しており、従来のように、作業者が図面で測定ポイントと測定値とを対応して記録することはないので、一連の照度測定作業時間を短縮することが可能である。
【００４３】
（その他の構成）
上述の説明では、測定ポイントに番号をふるのは、作業者が行うものとしている。どの番号の測定ポイントで測定をしているかは、作業者が認識しており、スマートフォン２に表示される番号について表示された照度測定値について、保存を指示することで、測定ポイントと照度測定値とが関連づけられて記憶部２１に保存される。しかしながら、衛星測位システムを用いることで、あらかじめ、測定ポイントをＧＰＳや準天頂衛星測位システムなどの衛星測位システムで得られる座標と対応づけることが可能である。その場合には、衛星測位システムで得られる座標と竣工図面上の測定ポイント対応付けてスマートフォンに照度測定値を保存することができる。このような場合には、スマートフォン２がどの測定ポイントの近辺であるかがわかるので、スマートフォン２に測定ポイントを表示させることが可能である。
【００４４】
なお、上述の照度測定装置の実施の形態の説明は、照度計とスマートフォンとが無線通信を行うことで、照度計で測定した照度データをスマートフォンに保存する例で説明したが、照度計とが無線で接続されなくても有線で接続されていても発明の実施は可能である。
照度計と照度データを保存するスマートフォンとは離れており、照度計に作業者の影やスマートフォンの画面の照度が照度計の照度測定に影響を与えない程度に離れていればよいので、照度計とデータ保存を行う可搬の携帯端末とが有線で接続された状態で、携帯端末が照度データを受信して保存する形態であってもよい。
【００４５】
また、基準に合わない照度が測定された場合には、異常な測定値であり、基準を満たす照度が測定され場合には、正常である旨を表示させることができる。ＪＩＳ規格には、オフィス、工場などの環境により照度の基準が設けられており、基準を満たさない照度であった場合には、改修等が必要となって余分な作業が必要となるので、照度の測定の際に、基準を満たなさない測定値である旨を表示させることで、後の余分な作業を予測でき、余分な負荷を軽減することができる。
【符号の説明】
【００４６】
１  照度計
２  スマートフォン
１１  受光部
１２  ２２  操作部  
１３  ２３  表示部
１４  ２４  無線通信部
１５  ２５  制御部  
１６  ２１  記憶部  
【図１】
2019015640.tif 000003
【図２】
2019015640.tif 000004
【図３】
2019015640.tif 000005
【図４】
2019015640.tif 000006
【図５】
2019015640.tif 000007
【図６】
2019015640.tif 000008
【図７】
2019015640.tif 000009